(57)【要約】【課題】安価で、防犯の信頼性が高い防犯装置を提供する。【解決手段】防犯対象物が収納される容器と、この容器を大気圧より所定圧負圧にするあるいは所定圧加圧する負圧加圧手段と、前記容器内と外部とを連通する連通孔と、この連通孔に設けられ前記容器内と外部との空気の流通流量を監視する流量計と、この流量計の測定流量の瞬時的変化を検出してアラーム信号を発する変化量検出手段とを具備したことを特徴とする防犯装置である。【選択図】　　　　図１
2004030106.tif 000002
【特許請求の範囲】
【請求項１】
防犯対象物が収納される容器と、
この容器を大気圧より所定圧負圧にするあるいは所定圧加圧する負圧加圧手段と、
前記容器内と外部とを連通する連通孔と、
この連通孔に設けられ前記容器内と外部との空気の流通流量を監視する流量計と、
この流量計の測定流量の瞬時的変化を検出してアラーム信号を発する変化量検出手段と
を具備したことを特徴とする防犯装置。
【請求項２】
前記流量計として、前記空気の流通流量をスクリュウの回転を利用して計測するようにしたこと
を特徴とする請求項１記載の防犯装置。
【請求項３】
前記連通孔の流量が定常状態から所定の設定偏差量に達した時にアラーム信号を発する所定設定偏差量流量検出手段
を具備した事を特徴とする請求項１又は請求項２記載の防犯装置。
【請求項４】
前記連通孔の流量が所定設定流量に達した時にアラーム信号を発する所定設定流量検出手段
を具備した事を特徴とする請求項１乃至請求項３の何れかに記載の防犯装置。
【請求項５】
負圧加圧手段として、換気扇が使用されたこと
を特徴とする請求項１乃至請求項４の何れかに記載の防犯装置。
【請求項６】
負圧加圧手段として、高圧ボンベの出カ圧力が使用されたこと
を特徴とする請求項１乃至請求項４の何れかに記載の防犯装置。
【請求項７】
前記アラーム信号に基づきブザー音を発するブザーあるいは警報音声を発する警報音声器
を具備した事を特徴とする請求項１乃至請求項６の何れかに記載の防犯装置。
【請求項８】
前記アラーム信号に基づき撮影を開始する防犯ビデオ
を具備したことを特徴とする請求項１乃至請求項７の何れかに記載の防犯装置。
【請求項９】
前記アラーム信号に基づき所定の電話にダイアルアップするダイアルアップ装置
を具備した事を特徴とする請求項１乃至請求項８の何れかに記載の防犯装置。
【請求項１０】
前記負圧加圧手段、前記流量測定装置と前記変化量検出手段の何れかの少なくとも１個の電源がオフになった場合に、電源をバックアップする電源バックアップ装置
を具備した事を特徴とする請求項１乃至請求項９の何れかに記載の防犯装置。
【請求項１１】
前記電源バックアップ装置による電源バックアップの切換えを検出する電源バックアップ切換検出器と、
この電源バックアップ切換検出器からの信号に基づき所定の電話にダイアルアップするダイアルアップ装置と
を具備したことを特徴とする請求項１０記載の防犯装置。
【請求項１２】
前記負圧加圧手段、前記流量測定装置と前記変化量検出手段の故障を診断する自己診断装置
を具備したことを特徴とする請求項１乃至請求項１１の何れかに記載の防犯装置。
【請求項１３】
前記容器と前記負圧加圧手段と前記流量測定装置とからなるセンサユニットの少なくとも２センサユニット以上が１個の前記変化量検出手段に接続されたこと
を特徴とする請求項１乃至請求項１２の何れかに記載の防犯装置。
【請求項１４】
前記変化量検出手段がパソコンを介してアラーム信号を発するようにされたこと
を特徴とする請求項１乃至請求項１３の何れかに記載の防犯装置。
【発明の詳細な説明】
【０００１】
【発明の属する技術分野】
本発明は、安価で、防犯の信頼性が高い防犯装置に関するものである。
【０００２】
【従来の技術】
図１２は、従来より一般に使用されている従来例の構成説明図である。
図において、１は容器で、例えば、一般家庭の部屋である。
３は部屋１の窓や扉２に設けられた接触方式の防犯装置である。
【０００３】
基本的には、マグネットスイッチを利用した防犯防止センサーである。
窓や扉２に取り付けられて、マグネット部がスイッチ部に近づいた時又は、スイッチ部から離れた時に端子間が導通しブザーもしくは接点出力信号を発する。
【０００４】
【発明が解決しようとする課題】
しかしながら、このような接触方式の防犯装置３においては、ガラスや扉２を破って侵入された場合には動作しない。
出入口が多い場合、センサーを何個も取付けなくてはならない。
【０００５】
また、万全な防犯を考えた場合、何種類もの他のセンサーを複合して取付けないと効果が上がらない。
従って、コストが膨らむのと、取付け作業・調整が大変面倒である。
【０００６】
本発明の目的は、上記の課題を解決するもので、安価で、防犯の信頼性が高い防犯装置を提供することにある。
【０００７】
【課題を解決するための手段】
このような目的を達成するために、本発明では、請求項１の防犯装置においては、
防犯対象物が収納される容器と、この容器を大気圧より所定圧負圧にするあるいは所定圧加圧する負圧加圧手段と、前記容器内と外部とを連通する連通孔と、この連通孔に設けられ前記容器内と外部との空気の流通流量を監視する流量計と、この流量計の測定流量の瞬時的変化を検出してアラーム信号を発する変化量検出手段とを具備したことを特徴とする。
【０００８】
本発明の請求項２においては、請求項１記載の防犯装置において、
前記流量計として、前記空気の流通流量をスクリュウの回転を利用して計測するようにしたことを特徴とする。
【０００９】
本発明の請求項３においては、請求項１又は請求項２記載の防犯装置において、
前記連通孔の流量が定常状態から所定の設定偏差量に達した時にアラーム信号を発する所定流量検出手段を具備したことを特徴とする。
【００１０】
本発明の請求項４においては、請求項１乃至請求項３の何れかに記載の防犯装置において、
前記連通孔の流量が所定設定流量に達した時にアラーム信号を発する所定設定流量検出手段を具備したことを特徴とする
【００１１】
本発明の請求項５においては、請求項１乃至請求項４の何れかに記載の防犯装置において、
負圧加圧手段として、換気扇が使用されたことを特徴とする。
【００１２】
本発明の請求項６においては、請求項１乃至請求項４の何れかに記載の防犯装置において、
負圧加圧手段として、高圧ボンベの出力圧力が使用されたことを特徴とする。
【００１３】
本発明の請求項７においては、請求項１乃至請求項６の何れかに記載の防犯装置において、
前記アラーム信号に基づきブザー音を発するブザーあるいは警報音声を発する警報音声器を具備したことを特徴とする。
【００１４】
本発明の請求項８においては、請求項１乃至請求項７の何れかに記載の防犯装置において、
前記アラーム信号に基づき撮影を開始する防犯ビデオを具備したことを特徴とする。
【００１５】
本発明の請求項９においては、請求項１乃至請求項８の何れかに記載の防犯装置において、
前記アラーム信号に基づき所定の電話にダイアルアップするダイアルアップ装置を具備したことを特徴とする。
【００１６】
本発明の請求項１０においては、請求項１乃至請求項９の何れかに記載の防犯装置において、
前記負圧加圧手段、前記流量測定装置と前記変化量検出手段の何れかの少なくとも１個の電源がオフになった場合に、電源をバックアップする電源バックアップ装置を具備したことを特徴とする。
【００１７】
本発明の請求項１１においては、請求項１０記載の防犯装置において、
前記電源バックアップ装置による電源バックアップの切換えを検出する電源バックアップ切換検出器と、この電源バックアップ切換検出器からの信号に基づき所定の電話にダイアルアップするダイアルアップ装置とを具備したことを特徴とする。
【００１８】
本発明の請求項１２においては、請求項１乃至請求項１１の何れかに記載の防犯装置において、
前記負圧加圧手段、前記流量測定装置と前記変化量検出手段の故障を診断する自己診断装置を具備したことを特徴とする。
【００１９】
本発明の請求項１３においては、請求項１乃至請求項１２の何れかに記載の防犯装置において、
前記容器と前記負圧加圧手段と前記流量測定装置とからなるセンサユニツトの少なくとも２センサユニット以上が１個の前記変化量検出手段に接続されたことを特徴とする。
【００２０】
本発明の請求項１４においては、請求項１乃至請求項１３の何れかに記載の防犯装置において、
前記変化量検出手段がパソコンを介してアラーム信号を発するようにされたことを特徴とする。
【００２１】
【発明の実施の形態】
以下図面を用いて本発明を詳しく説明するｃ
図１は本発明の一実施例の要部構成説明図、図２は図１のブロック図である。
図において、図１１と同一記号の構成は同一機能を表す。
以下、図１１と相違部分のみ説明する。
【００２２】
図において、１１は、防犯対象物が収納される容器である。
容器１１としては、たとえば、一般家屋，マンション，会社，倉庫，美術館，軍事施設，船，飛行機等の部屋や商品ケース等が該当する。
【００２３】
１２は、この容器１１を大気圧より所定圧負圧にする負圧加圧手段である。
負圧加圧手段１２としては、たとえば、換気扇やモーターファン等が該当する。
１３は、容器１１内と外部とを連通する連通孔である。
【００２４】
１４は、この連通孔１３に設けられ、容器１１内と外部との空気の流通流量を監視する流量計である。
この場合は、流量計１４として、空気の流通流量をスクリュウの回転を利用して計測するようにされた流量計が使用されている。
【００２５】
１５は、この流量計１４の測定流量の瞬時的変化を検出してアラーム信号Ａを発する変化量検出手段である。
この場合は、変化量検出手段１５のアラーム信号Ａに基づき、ブザー，警報音声器，防犯カメラや防犯ビデオ（録画、録音）や照明装置が動作される。
【００２６】
以上の構成において、容器１１、たとえば、一般家屋の室内を、負圧加圧手段１２の、たとえば、換気扇などで負圧にする。
この場合は、たとえば、マイナス１００ｍｍＨ２Ｏにする。
【００２７】
侵入者が窓を割って入って来た場合、室１１内は瞬時に大気圧になることにより、流量（回転数）が落ちる。
流量測定装置１４は、連通孔１３内の流量の変動を測定する。
流量測定装置１４の測定結果は、変化量検出手段１５に設定された瞬時的変化警報（急激に変化する量）に引っ掛かり、変化量検出手段１５よりアラーム信号Ａが発せられる。
【００２８】
即ち、負圧加圧手段１２の換気扇が回り出し、流量測定装置１４のスクリュウが回転を始め、一定のスピードになる。
この状態から、スクリュウの回転スピードを監視し、侵入者が窓を割って入って来て、スピードが急激に落ちた時（急激な変化）を検知したところでアラームを出す。
例えば、回転数が８００ｒｐｍから５００ｒｐｍに急激に落ちた（変化した）時にアラーム信号Ａが発せられる。
【００２９】
この場合は、変化量検出手段１５のアラーム信号Ａに基づき、ブザー，防犯カメラや防犯ビデオ（録画、録音）や照明装置が動作される。
【００３０】
この結果、
（１）容器１１のどこからの（窓，ドアー等）破損・侵入に対しても、必ず変化量検出手段１５により検出され、防犯の信頼性が高く、精度が高い防犯装置が得られる。
【００３１】
（２）防犯装置は、流量の変動を検知すれば良いので、１個のセンサで広範囲のエリアをカバー出来、安価で、メンテナンスコストを低減出来る防犯装置が得られる。
【００３２】
（３）負圧加圧手段１２として、換気扇が使用されれば、換気扇は市場性が有り、容易に入手出来、安価な防犯装置が得られる。
【００３３】
（４）アラーム信号Ａに基づき、ブザー音を発するブザーあるいは警報音声を発する警報音声器が設けられれば、容器１１を視認する必要はなく、また容器１１の近くにいる必要もなく、直ちに対処しやすく、迅速性を有する防犯装置が得られる。
【００３４】
（５）アラーム信号Ａに基づき、撮影を開始する防犯ビデオが設けられれば、容器１１の破損時の状態を直ちに確認出来、迅速性、証拠保存性を有する防犯装置が得られる。
【００３５】
（６）盗まれた鍵やコピーされた鍵で侵入しても、本防犯装置は動作するので、安心感が高く、信頼性が益々高い防犯装置が得られる。
【００３６】
（７）流量計１４として、空気の流通流量をスクリュウの回転を利用して計測するようにすれば、スクリュウの回転により、簡便に空気の流通流量を計測出来、安価な流量計１４が得られるので、安価な防犯装置が得られる。
【００３７】
図３は本発明の他の実施例の要部構成説明図である。
本実施例において、１６は、容器１１を、この場合は、大気圧より所定圧プラス圧に加圧する負圧加圧手段である。
負圧加圧手段１６としては、たとえば、ボンベ等が該当する。
【００３８】
自動車等の室内に使用出来、簡便性の高い防犯装置が得られる。
なお、負圧加圧手段１６として、自動車等のモーターを利用しても良いことは勿論である。
【００３９】
図４は本発明の他の実施例の要部構成説明図である。
本実施例において、２１は、容器１１内の流量が所定設定流量に達した時、あるいは所定の設定偏差流量に達した時にアラーム信号Ａを発する所定設定偏差流量検出手段である。
【００４０】
即ち、負圧加圧手段１２の換気扇が回り出し、流量測定装置１４のスクリュウが回転を始め、一定のスピードになる。
この定常状態からの偏差流量を予め決めて置き、偏差流量に到達した時にアラームを出す。
【００４１】
例えば、偏差流量を２００ｒｐｍと定めれば、定常状態の回転数が８００ｒｐｍの時は、６００ｒｐｍに、定常状態の回転数が８５０ｒｐｍの時は、６５０ｒｐｍに到達した時にアラーム信号Ａが発せられる。
【００４２】
容器１１内の流量が所定の偏差流量に達した時にアラーム信号Ａを発する所定偏差流量検出手段２１が設けられたので、容器１１の破損個所が小さくて、徐々に気圧が抜けて行き、瞬時的変化警報に引っ掛からなくても、所定設定偏差流量になった時に、アラーム信号Ａが発せられ、更に、防犯の信頼性が高い防犯装置が得られる。
【００４３】
図５は本発明の他の笑施例の要部構成説明図である。
本実施例において、２２は、容器１１内の流量が所定設定流量に達した時にアラーム信号Ａを発する所定設定流量検出手段である。
【００４４】
即ち、負圧加圧手段１２の換気扇が回り出し、流量測定装置１４のスクリュウが回転を始め、一定のスピードになる。
この状態から、スクリュウの回転スピードを監視し、スピードが徐々に落ち、予め設定していた回転数に到達した時にアラームを出す。
【００４５】
例えば、回転数８００ｒｐｍが徐々に回転が落ちていき、事前設定しておいた５００ｒｐｍに到達した時にアラーム信号Ａが発せられる。
【００４６】
容器１１内の流量が、所定設定流量に達した時にアラーム信号Ａを発する所定流量検出手段２２が設けられたので、容器１１の破損個所が小さくて、徐々に気圧が抜けて行き、瞬時的変化警報又は偏差流量警報に引っ掛からなくても、所定設定流量になった時に、アラーム信号Ａが発せられ、更に、確実に防犯の信頼性が高い防犯装置が得られる。
【００４７】
図６は本発明の他の実施例の要部構成説明図である。
本実施例において、２５は、アラーム信号Ａに基づき所定の電話Ｂにダイアルアップするダイアルアップ装置である。
【００４８】
この結果、
（１）防犯容器１１の近くにいる必要はなく、行動の自由性が確保できる防犯装置が得られる。
（２）外出後に防犯装置の設定を忘れても、外出先から装置の起動設定が容易に出来る防犯装置が得られる。
【００４９】
（３）電話Ｂとして、携帯電話が使用されれば、更に、利便性が向上された防犯装置が得られる。
【００５０】
図７は本発明の他の実施例の要部構成説明図である。
本実施例において、３１は、負圧加圧手段１２、流量測定装置１４と変化量検出手段１５の何れかの少なくとも１個の電源がオフになった場合に、電源をバックアップする電源バックアップ装置である。
【００５１】
負圧加圧手段１２、流量測定装置１４と変化量検出手段１５の電源をバックアップする電源バックアップ装置３１が設けられたので、電源がオフになった場合にも対処出来、更に、防犯の信頼性が高い防犯装置が得られる。
【００５２】
この結果、
（１）侵入者が警報装置の電源を切って、入り込もうとしても電源バックアップ装置３１が動作するので、より防犯の信頼性が高い防犯装置が得られる。
（２）負圧加圧手段１２、流量測定装置１４や変化量検出手段１５の電源部が故障になっても自動的に電源バックアップ装置３１に切替るので、より防犯の信頼性が高い防犯装置が得られる。
【００５３】
図８は本発明の他の実施例の要部構成説明図である。
本実施例において、３５は、電源バックアップ装置３１による電源バックアップの切換えを検出する電源バックアップ切換検出器である。
３６は、電源バックアップ切換検出器３５からの信号に基づき、所定の電話Ｂにダイアルアップするダイアルアップ装置である。
【００５４】
負圧加圧手段１２、流量測定装置１４と変化量検出手段１５の何れかの少なくとも１個の電源がオフになった場合に、電源バックアップ装置３１による電源バックアップの切換えを検出する電源バックアップ切換検出器３５と、電源バックアップ切換検出器３５からの信号に基づき所定の電話Ｂにダイアルアップするダイアルアップ装置とが設けられた。
【００５５】
この結果、停電や人為的に電源を切った場合に、侵入者による電源の切断とは区別がつかない為、アラームＡは発せられずに、ひとまずは、電話Ｂで機器異常（軽故障）として通知され、停電や侵入者でないものが電源を切った場合に、大騒ぎに成ること無く対処出来、より防犯の信頼性が高い防犯装置が得られる。
【００５６】
図９は本発明の他の実施例の要部構成説明図である。
本実施例において、４１は、負圧加圧手段１２、流量測定装置１４、変化量検出手段１５の故障を診断する自己診断装置である。
負圧手段１２、流量測定装置１４、変化量検出手段１５の機器の故障が発生した場合、侵入者警報とは異なる故障アラームＣを発する。
【００５７】
この結果、負圧加圧手段１２、流量測定装置１４と変化量検出手段１５の故障を診断する自己診断装置４１が設けられたので、負圧加圧手段１２、流量測定装置１４と変化量検出手段１５の故障に迅速に対処できる防犯装置が得られる。
【００５８】
図１０は本発明の他の実施例の要部構成説明図である。
本実施例において、容器１１と負圧加圧手段１２と流量測定装置１４とからなるセンサユニット４５の少なくとも２個のセンサユニット４５以上が１個の変化量検出手段１５に接続されている。
【００５９】
この結果、
（１）１個の変化量検出手段１５に複数台のセンサユニット４５を繋げて監視する事が出来るので、安価な防犯装置が得られる。
（２）重要な個所には、何箇所もセンサユニット４５が設置出来るので、更なる信頼性と、変化量検出手段１５は１個で良いので、１件当たりのコストが安くなる防犯装置が得られる。
【００６０】
例えば、マンションの各家庭１１にセンサユニット４５を設置して、管理室で、変化量検出手段１５を監視したり、デパート等での多数の商品ケース１１にセンサユニット４５を入れて、警備室で変化量検出手段１５を監視する事が可能になる。
【００６１】
図１１は本発明の他の実施例の要部構成説明図である。
本実施例において、変化量検出手段１５がパソコン５１を介してアラーム信号Ａを発するようにされている。
【００６２】
変化量検出手段１５がパソコン５１を介してアラーム信号Ａを発するようにされたので、
（１）手近に有るパソコン５１で監視出来るので、監視がより容易となる防犯装置が得られる。
【００６３】
（２）パソコン５１の処理システムを利用することにより、アラームＡ（ブザー、防犯ビデオ、警報音声器等）の監視操作が容易となる防犯装置が得られる。
【００６４】
（３）上記のセンサユニット４５を多数使用したマルチタイプでは、容器１１、例えば、部屋（容器１１）の監視数全体が、一画面で一度に見る事が出来、素早い対応が取れる防犯装置が得られる。
【００６５】
例えば、マンションにおける各部屋（容器１１）の警備会社による監視が、パソコン５１の１台で監視が出来る防犯装置が得られる。
（４）パソコン管理で事故発生の時間や、入出門の管理が行える。
【００６６】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００６７】
【発明の効果】
以上説明したように、本発明の請求項１によれば、次のような効果がある。
防犯対象物が収納される容器と、この容器を大気圧より所定圧負圧にするあるいは所定圧加圧する負圧加圧手段と、前記容器内の流量を測定する流量測定装置と、この流量測定装置の測定圧の瞬時的変化量を検出してアラーム信号を発する変化量検出手段とが設けられた。
【００６８】
従って、
（１）容器のどこからの（窓，ドアー等）破損・侵入に対しても、必ず変化量検出手段により検出され、防犯の信頼性が高く、精度が高い防犯装置が得られる。
（２）防犯装置は、流量の変動を検知すれば良いので、１個で良いので、安価で、メンテナンスコストを低減出来る防犯装置が得られる。
【００６９】
（３）負圧加圧手段として、換気扇が使用されれば、換気扇は市場性が有り、容易に入手出来、安価な防犯装置が得られる。
【００７０】
（４）アラーム信号に基づき、ブザー音を発するブザーあるいは警報音声を発する警報音声器が設けられれば、容器を視認する必要はなく、また容器の近くにいる必要もなく、直ちに対処しやすく、迅速性を有する防犯装置が得られる。
【００７１】
（５）アラーム信号に基づき、撮影を開始する防犯ビデオが設けられれば、容器の破損時の状態を直ちに確認出来、迅速性、証拠保存性を有する防犯装置が得られる。
【００７２】
（６）盗まれた鍵やコピーされた鍵で侵入しても、本防犯装置は動作するので、安心感が高く、信頼性が益々高い防犯装置が得られる。
【００７３】
本発明の請求項２によれば、次のような効果がある。
流量計として、空気の流通流量をスクリュウの回転を利用して計測するようにしたので、スクリュウの回転により、簡便に空気の流通流量を計測出来、安価な流量計が得られるので、安価な防犯装置が得られる。
【００７４】
本発明の請求項３によれば、次のような効果がある。
容器内の流量が所定の偏差流量に達した時にアラーム信号を発する所定偏差流量検出手段が設けられたので、容器の破損個所が小さくて徐々に気圧が抜けて行き、瞬時的変化量警報に引っ掛からなくても、事前に設定された、通常の定常流量から所定の偏差量になった時に、アラーム信号が発せられ、更に、防犯の信頼性が高い防犯装置が得られる。
【００７５】
本発明の請求項４によれば、次のような効果がある。
容器内の流量が所定流量に達した時にアラーム信号を発する所定流量検出手段が設けられたので、容器の破損個所が小さくて徐々に気圧が抜けて行き、瞬時的変化量警報又は偏差流量警報に引掛からなくても、事前に設定された所定設定流量になった時に、アラーム信号が発せられ、更に、確実に防犯の信頼性が高い防犯装置が得られる。
【００７６】
本発明の請求項５によれば、次のような効果がある。
負圧加圧手段として、換気扇が使用されたので、換気扇は市場性が有り、容易に入手出来、安価な防犯装置が得られる。
【００７７】
本発明の請求項６によれば、次のような効果がある。
負圧加圧手段として、高圧ボンベの出力流量が使用されたので、自動車等の室内に使用でき、簡便性の高い防犯装置が得られる。
【００７８】
本発明の請求項７によれば、次のような効果がある。
アラーム信号に基づきブザー音を発するブザーあるいは警報音声を発する警報音声器が設けられたので、容器を視認する必要はなく、また容器の近くにいる必要もなく、直ちに対処しやすく、迅速性を有する防犯装置が得られる。
【００７９】
本発明の請求項８によれば、次のような効果がある。
前記アラーム信号に基づき撮影を開始する防犯ビデオが設けられたので、容器の破損時の状態を直ちに確認出来、迅速性、証拠保存性を有する防犯装置が得られる。
【００８０】
本発明の請求項９によれば、次のような効果がある。
アラーム信号に基づき所定の電話にダイアルアッブするダイアルアップ装置が設けられた。
【００８１】
従って、
（１）防犯容器の近くにいる必要はなく、行動の自由性が確保できる防犯装置が得られる。
（２）外出後に防犯装置の設定を忘れても、外出先から装置の起動設定が容易に出来る。
【００８２】
本発明の請求項１０によれば、次のような効果がある。
前記負圧加圧手段、流量測定装置と変化量検出手段の電源をバックアップする電源バックアップ装置が設けられたので、電源がオフになった場合にも、対処出来、更に、防犯の信頼性が高い防犯装置が得られる。
【００８３】
従って、
（１）侵入者が警報装置の電源を切って、入り込もうとしても電源バックアップが動作するので、より防犯の信頼性が高い防犯装置が得られる。
（２）負圧加圧手段、流量測定装置や変化量検出手段の電源部が故障になっても自動的に電源バックアップに切替るので、より防犯の信頼性が高い防犯装置が得られる。
【００８４】
本発明の請求項１１によれば、次のような効果がある。
負圧加圧手段、流量測定装置と変化量検出手段の何れかの少なくとも１個の電源がオフになった場合に、電源バックアップ装置による電源バックアップの切換えを検出する電源バックアップ切換検出器と、電源バックアップ切換検出器からの信号に基づき所定の電話にダイアルアップするダイアルアップ装置とが設けられた。
【００８５】
従って、停電や人為的に電源を切った場合に、侵入者による電源の切断とは区別がつかない為、アラームは発せられずに、ひとまずは、携帯電話で機器異常（軽故障）として通知され、停電や侵入者でないものが電源を切った場合に、大騒ぎになること無く対処出来、より防犯の信頼性が高い防犯装置が得られる。
【００８６】
本発明の請求項１２によれば、次のような効果がある。
負圧加圧手段、流量測定装置と変化量検出手段の故障を診断する自己診断装置が設けられたので、負圧加圧手段、流量測定装置と変化量検出手段の故障に迅速に対処できる防犯装置が得られる。
【００８７】
本発明の請求項１３によれば、次のような効果があるｃ
容器と負圧加圧手段と絶対流量測定装置とからなるセンサユニットの少なくとも２センサユニット以上が１個の変化量検出手段に接続された。
【００８８】
従って、
（１）１個の変化量検出手段に複数台のセンサユニットを繋げて監視する事が出来るので、安価な防犯装置が得られる。
（２）重要な個所には、何箇所もセンサユニットが設置出来るので、更なる信頼性と、変化量検出手段は１個で良いので、１件当たりのコストが安くなる防犯装置が得られる。
【００８９】
例えば、マンションの各家庭にセンサユニットを設置して、管理室で監視したり、デパート等での多数の商品ケースにセンサユニットを入れて、警備室で監視する事が可能になる。
【００９０】
本発明の請求項１４によれば、次のような効果がある。
変化量検出手段がパソコンを介してアラーム信号を発するようにされたので、
（１）手近に有るパソコンで監視出来るので、監視が容易となる防犯装置が得られる。
【００９１】
（２）パソコンの処理システムを利用することにより、アラーム（ブザー、防犯ビデオ、警報音声器等）の監視操作が容易となる防犯装置が得られる。
（３）マルチタイプでは、容器、例えば、部屋の監視数全体が、一画面で一度に見る事が出来、素早い対応が取れる防犯装置が得られる。
例えぱ、マンションにおける警備会社の監視が、パソコン１台で監視が出来る防犯装置が得られる。
（４）パソコン管理で事故発生の時間や、入出門の管理が行える。
【００９２】
従って、本発明によれば、安価で、防犯の信頼性が高い防犯装置を実現することが出来る。
【図面の簡単な説明】
【図１】本発明の一実施例の要部構成説明図である。
【図２】図１のブロック図である。
【図３】本発明の他の実施例の要部構成説明図である。
【図４】本発明の他の実施例の要部構成説明図である。
【図５】本発明の他の実施例の要部構成説明図である。
【図６】本発明の他の実施例の要部構成説明図である。
【図７】本発明の他の実施例の要部構成説明図である。
【図８】本発明の他の実施例の要部構成説明図である。
【図９】本発明の他の実施例の要部構成説明図である。
【図１０】本発明の他の実施例の要部構成説明図である。
【図１１】本発明の他の実施例の要部構成説明図である。
【図１２】従来より一般に使用されている従来例の要部構成説明図である。
【符号の説明】
１１　　容器
１２　　負圧加圧手段
１３　　連通孔
１４　　流量測定装置
１５　　変化量検出手段
２１　　所定設定偏差流量検出手段
２２　　所定設定流量検出手段
２５　　ダイアルアップ装置
３１　　電源バックアップ装置
３５　　電源バックアップ切換検出器
３６　　ダイアルアップ装置
４１　　自己診断装置
４５　　センサユニット
５１　　パソコン
Ａ　　　アラーム信号
Ｂ　　　電話
Ｃ　　　故障アラーム信号
【図１】
2004030106.tif 000003
【図２】
2004030106.tif 000004
【図３】
2004030106.tif 000005
【図４】
2004030106.tif 000006
【図５】
2004030106.tif 000007
【図６】
2004030106.tif 000008
【図７】
2004030106.tif 000009
【図８】
2004030106.tif 000010
【図９】
2004030106.tif 000011
【図１０】
2004030106.tif 000012
【図１１】
2004030106.tif 000013
【図１２】
2004030106.tif 000014